(57)【要約】【課題】  充電器に接続した状態で有線通信回線が切断した場合であっても、自動的に無線通信回線に切替わり通信に途切れのない通信端末を提供することを目的とする。【解決手段】  充電器３０１に接続した通信端末１０１において、充電器３０１を介する有線回線３１との接続状態を検出する有線回線接続検出部６を備え、基地局２０１と無線通信を行う無線部１と充電器３０１を介して有線回線３１と接続して有線通信を行う有線部２とのいずれかを選択する切替スイッチ３の切替を、有線回線接続検出部６で検出した有線回線３１との接続状態に基づいて制御する切替制御部４とを備える。【選択図】        図１
2009017357.tif 000002
【特許請求の範囲】
【請求項１】
基地局と無線通信を行う無線通信部と、
充電器を介する有線回線と接続して有線通信を行う有線通信部と、
前記有線回線との接続状態を検出する検出部と、
前記無線通信部と前記有線通信部とのいずれかを選択して通信回線を切替える切替スイッチと、
前記検出部からの出力に基づく前記有線回線との接続状態に応じて前記切替スイッチの切替を制御する切替制御部とを備えた通信端末。
【請求項２】
充電器を介する有線回線との接続状態を検出するステップと、
前記有線回線との接続状態に基づいて、基地局と行う無線通信と前記充電器を介する前記有線回線と接続して行う有線通信とのいずれかを選択して切替えるステップとを含む通信端末の制御方法。
【発明の詳細な説明】
【技術分野】
【０００１】
本発明は、充電器に接続することにより通信回線を無線から有線に切替える通信端末及びその制御方法に関するものである。
【背景技術】
【０００２】
従来技術としては、充電器が接続されていることを検出する充電器接続検出部と、充電器接続検出部にて充電器の接続が検出されたときに有線を選択する切替手段とを備え、充電器に接続されて充電中の場合には有線通信回線を利用して通信できる通信端末がある（例えば、特許文献１参照）。
【０００３】
【特許文献１】特開平１１−１４６４５６号公報（００１１〜００１３段、図１）
【発明の開示】
【発明が解決しようとする課題】
【０００４】
しかしながら、上記のような従来の通信端末の場合、充電器への接続によって無線から有線に切替えるというものであったため、充電器に接続していても有線側の回線が切断した場合に通信が途絶えるという問題があった。
【０００５】
本発明は、上記のような問題を解決するためになされたものであり、充電器に接続した状態で有線通信回線が切断した場合であっても、自動的に無線通信回線に切替わり通信に途切れのない通信端末を提供することを目的とする。
【課題を解決するための手段】
【０００６】
本発明に係る通信端末は、基地局と無線通信を行う無線通信部と、充電器を介する有線回線と接続して有線通信を行う有線通信部と、有線回線との接続状態を検出する検出部と、無線通信部と有線通信部とのいずれかを選択して通信回線を切替える切替スイッチと、検出部からの出力に基づく有線回線との接続状態に応じて切替スイッチの切替を制御する切替制御部とを備えたものである。
【０００７】
本発明に係る通信端末の制御方法は、充電器を介する有線回線との接続状態を検出するステップと、有線回線との接続状態に基づいて、基地局と行う無線通信と充電器を介する有線回線と接続して行う有線通信とのいずれかを選択して切替えるステップとを含むものである。
【発明の効果】
【０００８】
本発明によれば、充電器を介する有線回線との接続状態を検出する検出部を備え、検出部で検出した有線回線との接続状態に基づいて、切替制御部が無線部と有線部のいずれかを選択して通信回線を切替ることにより、充電器に接続した状態で有線回線が切断した場合であっても、通信回線が途切れることなく、通信状態の品質の向上を図ることができる。
【発明を実施するための最良の形態】
【０００９】
以下、本発明に係る通信端末の各種実施の形態について、図面に基づいて説明する。
実施の形態１．
図１は、本発明に係る実施の形態１の通信端末１０１の構成を示すブロック図である。
【００１０】
図１に示すように、通信端末１０１は、無線通信を行う無線通信部としての無線部１と有線通信を行う有線通信部としての有線部２を有し、無線部１による無線通信と有線部２による有線通信を切替える切替スイッチ３と、切替スイッチ３を制御する切替制御部４とを備える。
【００１１】
また、通信端末１０１は、充電器接続検出部５と検出部としての有線回線接続検出部６を有し、切替制御部４は、充電器接続検出部５と有線回線接続検出部６からの検出信号により切替スイッチ３の切替えを行う。
【００１２】
通信端末１０１は、無線部１により外部の無線通信装置（以下、基地局と称する）２０１との間で無線通信を行い、有線部２により有線回線接続検出部６を介して、有線回線３１に接続された充電器３０１との間で有線通信を行う。
【００１３】
次に、図２のフローチャートに従い、本実施の形態１における通信端末１０１の無線／有線回線の切替動作について説明する。まず、無線通信状態にある通信端末１０１において、切替制御部４は、充電器接続検出部５により充電器３０１の接続状態を検出させ（Ｓ２０１）、充電器接続検出部５からの検出信号により充電器３０１が接続状態であるか否かを判断する（Ｓ２０２）。
【００１４】
充電器３０１が接続状態でないと判断した場合、切替制御部４は、無線部１により基地局２０１との無線通信状態を継続する（Ｓ２０３）。図３は、充電器３０１が接続状態でない場合の通信端末１０１の通信状態を示すブロック図である。充電器接続端子７、有線回線接続端子８のいずれもが切断状態にあり、通信端末１０１は、基地局２０１と無線通信状態にある。
【００１５】
充電器３０１が接続状態であると判断した場合、切替制御部４は、充電器接続検出部５により充電器３０１の接続状態を保持し、続いて、有線回線接続検出部６により有線回線３１の接続状態を検出させ（Ｓ２０４）、有線回線接続検出部６からの検出信号により有線回線３１が接続状態であるか否かを判断する（Ｓ２０５）。
【００１６】
有線回線３１が接続状態でないと判断した場合、切替制御部４は、無線部１により基地局２０１との無線通信状態を継続する（Ｓ２０３）。図４は、充電器３０１が接続状態で、有線回線３１が接続状態でない場合の通信端末１０１の通信状態を示すブロック図である。充電器接続端子７は接続状態にあるが、有線回線接続端子８が切断状態にあり、通信端末１０１は、基地局２０１と無線通信状態にある。
【００１７】
有線回線３１が接続状態であると判断した場合、切替制御部４は、有線部２を選択して有線回線３１に切替え（Ｓ２０６）、有線通信状態にする（Ｓ２０７）。図５は、充電器３０１と有線回線３１が接続状態である場合の通信端末１０１の通信状態を示すブロック図である。充電器接続端子７、有線回線接続端子８が共に接続状態にあり、通信端末１０１は、充電器３０１を介して有線通信状態にある。
【００１８】
有線通信状態においても、切替制御部４は、有線回線接続検出部６により有線回線の接続状態を監視し、有線回線接続検出部６からの検出信号により有線回線３１が切断したか否かを判断する（Ｓ２０８）。
【００１９】
有線回線３１が切断したと判断するまでは、切替制御部４は、有線部２により有線通信状態を継続する（Ｓ２０９）。有線回線３１が切断したと判断した場合、切替制御部４は、無線部１を選択して無線回線に切替え（Ｓ２１０）、無線通信状態にする（Ｓ２０３）。
【００２０】
上記においては、最初の通信状態が無線状態における通信端末１０１の、その後の無線／有線回線の切替動作について説明したが、図６は、最初の通信状態が無線／有線のいずれの通信回線であるかで、通信端末１０１のその後の通信回線での無線／有線回線の切替動作を示す。
【００２１】
最初の通信状態（以下「現通信状態」とする）が有線通信状態である場合、その後の通信状態（以下「次通信状態」とする）の判定時に、充電器３０１が接続され、有線回線３１が接続状態であれば、切替制御部４は有線通信状態をそのままとし、通信回線の切替はない（項番１−１）。有線回線３１が切断状態であれば、切替制御部４は無線通信状態に切替える（項番１−２）。
【００２２】
現通信状態が無線通信状態である場合は、上述のように、次通信状態の判定時に、充電器３０１が接続され、有線回線３１が接続状態であれば、切替制御部４は有線通信状態に切替える（項番２−１）。有線回線３１が切断状態であれば、切替制御部４は無線通信状態をそのままとし、通信回線の切替はない（項番２−２）。また、充電器３０１に接続されなければ、切替制御部４は無線通信状態をそのままとし、通信回線の切替はない（項番２−３）。
【００２３】
以上のように、本実施の形態１では、充電器３０１に接続した通信端末１０１において、充電器３０１を介する有線回線３１との接続状態を検出する有線回線接続検出部６を備え、切替制御部４が、有線回線接続検出部６で検出した有線回線３１との接続状態に基づいて、無線／有線回線の切替動作を行うようにしたので、充電器に接続した状態で有線回線が切断した場合であっても、通信回線が途切れることなく、通信状態の品質の向上を図ることができる。また、有効に有線回線を選択することにより、消費電力を抑制することができる。
【図面の簡単な説明】
【００２４】
【図１】本発明に係る通信端末の実施の形態１の構成を示すブロック図である。
【図２】本発明に係る通信端末の実施の形態１の動作の流れを示すフローチャート図である。
【図３】本発明に係る通信端末の実施の形態１の接続状態を説明するブロック図である。
【図４】本発明に係る通信端末の実施の形態１の接続状態を説明するブロック図である。
【図５】本発明に係る通信端末の実施の形態１の接続状態を説明するブロック図である。
【図６】本発明に係る通信端末の実施の形態１の通信回線の切替状態を説明するための図である。
【符号の説明】
【００２５】
１  無線部
２  有線部
３  切替スイッチ
４  切替制御部
６  有線回線接続検出部
３１  有線回線
１０１  通信端末
２０１  無線通信装置（基地局）
３０１  充電器
【図１】
2009017357.tif 000003
【図２】
2009017357.tif 000004
【図３】
2009017357.tif 000005
【図４】
2009017357.tif 000006
【図５】
2009017357.tif 000007
【図６】
2009017357.tif 000008